(57)【要約】【課題】本発明は、従来の羽織を新しいタイプの羽織に再生することができる羽織の再生方法を提供することを目的とするものである。【解決手段】従来の羽織を、身頃部分の布地１ａ及び１ｂ、袖部分の布地２ａ及び２ｂ、まち部分の布地３ａ及び３ｂ、衿部分の布地４に分離し、袖部分の布地の袖下を丸みを持たせた湾曲ラインに裁断加工し、まち部分の布地から袖先部分の布地５ａ及び５ｂを裁断加工する。袖部分の布地の袖口に袖先部分の布地を縫着して湾曲ラインに沿って縫い合わせる。また、衿部分の布地は、２分割して重ね合せたものを二つ折りして身頃部分の布地の衿取付部に沿って縫い付ける。こうして新しい袖のシルエットと衿幅の広い羽織に再生することができる。【選択図】図１２
2007231479.tif 000002
【特許請求の範囲】
【請求項１】
羽織を以下の工程（イ）〜（ヌ）により再生することを特徴とする羽織の再生方法。
（イ）縫着糸を解いて羽織を一対の身頃部分、一対の袖部分、衿部分及び一対のまち部分の布地に分離する
（ロ）身頃部分の布地及び袖部分の布地を肩山が一致するように位置合せして袖部分の布地の下側を身頃部分の布地の脇側から袖口に向かって連続した湾曲ラインとなるように裁断する
（ハ）衿部分の布地を２分割するように長手方向に裁断する
（ニ）工程（ハ）で裁断された布地の両端部を縫い合わせた後、縫い合わせた布地を、背縫いした身頃部分の布地の衿取付部と位置合せして一方の側端部を縫着する
（ホ）まち部分の布地や裁断の際の残布から袖先部分の布地を工程（ロ）で形成した湾曲ラインに連続したラインとなるように裁断する
（ヘ）工程（ロ）で裁断した袖部分の布地の袖口に工程（ホ）で裁断した袖先部分の布地を縫着する
（ト）袖部分の布地及び身頃部分の布地の肩山を一致させて身頃部分の布地の袖取付部に袖部分の布地を縫着する
（チ）袖先部分及び袖部分の布地の裁断された湾曲ライン及び身頃部分の布地の脇側を縫着する
（リ）工程（ニ）で縫着された衿部分の布地を二つ折りして他方の側端部を身頃部分の布地の衿取付部に縫着する
（ヌ）衿部分及び身頃部分の布地の裾を折り上げて縫着する
【請求項２】
前記工程（ホ）において４枚の袖先部分の布地を裁断し、前記工程（ヘ）において袖先部分の布地を２枚ずつ重ね合わせて袖部分の布地の袖口に縫着することを特徴とする請求項１に記載の羽織の再生方法。
【請求項３】
請求項１又は２に記載の羽織の再生方法で作成したことを特徴とする羽織。
【発明の詳細な説明】
【技術分野】
【０００１】
本発明は、羽織を新しいタイプの羽織に再生する再生方法に関する。
【背景技術】
【０００２】
日本の伝統的な衣裳である和服や羽織は、洋装の普及とともに着用する人が次第に減少してきており、結婚式等の行事においては着用されるものの日常的に着用する人は少なくなっている。
【０００３】
そのため、一般家庭においては箪笥の中にしまい込まれたままの状態となっており、呉服店等の販売店においても売れ残りの在庫品されているものがある。こうした古着は、既にデザインや柄が現在の流行とは合わなくなっているため、このままでは今後着用される可能性が低く、どのように再利用していくかが課題となっている。
【０００４】
こうした課題に対しては、例えば、特許文献１では、着物をドレスきものにリフォームする裁断方法が記載されている。また、特許文献２では、婚礼用衣裳の白無垢に仕立て直し用に予め折返し部を持たせるようにした点が記載されている。また、特許文献３では、着物の各構成部分を基布として他の着物の構成部分から裁断した布片を繋ぎ合わせて所望の柄デザインにし、新たな着物として仕立てる点が記載されている。
【特許文献１】特公平５−４５６８１号公報
【特許文献２】実開昭５８−１１７７０６号公報
【特許文献３】特開２００５−２４０２３７号公報
【発明の開示】
【発明が解決しようとする課題】
【０００５】
従来より着物のリフォームや仕立て直しが行われているが、同じような着物に仕立て直してもなかなか着用する機会がないのは同様である。羽織についても、和服よりも着用する機会が少なくなっており、その再利用が課題となっている。
【０００６】
そこで、本発明は、従来の羽織を新しいタイプの羽織に再生することができる羽織の再生方法を提供することを目的とするものである。
【課題を解決するための手段】
【０００７】
本発明に係る羽織の再生方法は、  羽織を以下の工程（イ）〜（ヌ）により再生することを特徴とする。
（イ）縫着糸を解いて羽織を一対の身頃部分、一対の袖部分、衿部分及び一対のまち部分の布地に分離する
（ロ）身頃部分の布地及び袖部分の布地を肩山が一致するように位置合せして袖部分の布地の下側を身頃部分の布地の脇側から袖口に向かって連続した湾曲ラインとなるように裁断する
（ハ）衿部分の布地を２分割するように長手方向に裁断する
（ニ）工程（ハ）で裁断された布地の両端部を縫い合わせた後、縫い合わせた布地を、背縫いした身頃部分の布地の衿取付部と位置合せして一方の側端部を縫着する
（ホ）まち部分の布地や裁断の際の残布から袖先部分の布地を工程（ロ）で形成した湾曲ラインに連続したラインとなるように裁断する
（ヘ）工程（ロ）で裁断した袖部分の布地の袖口に工程（ホ）で裁断した袖先部分の布地を縫着する
（ト）袖部分の布地及び身頃部分の布地の肩山を一致させて身頃部分の布地の袖取付部に袖部分の布地を縫着する
（チ）袖先部分及び袖部分の布地の裁断された湾曲ライン及び身頃部分の布地の脇側を縫着する
（リ）工程（ニ）で縫着された衿部分の布地を二つ折りして他方の側端部を身頃部分の布地の衿取付部に縫着する
（ヌ）衿部分及び身頃部分の布地の裾を折り上げて縫着する
さらに、前記工程（ホ）において４枚の袖先部分の布地を裁断し、前記工程（ヘ）において袖先部分の布地を２枚ずつ重ね合わせて袖部分の布地の袖口に縫着することを特徴とする。
【０００８】
本発明に係る羽織は、上記の羽織の再生方法で作成したことを特徴とする。
【発明の効果】
【０００９】
本発明は、上記の構成を備えることで、従来の羽織を解いて袖の形状を湾曲ラインで膨らんだ形状にし袖先を余った布地で形成して縫着するとともに衿の形状を幅広に形成しているので、容易に新しいタイプの羽織に再生することができ、また従来の羽織を構成している布地で作成できるので、別途新しい布地を加える必要がない。したがって、呉服店のみならず一般家庭においても幅広く簡単に羽織の再生ができるようになり、これまで古着として省みられたなかった羽織が新たに脚光を浴びるようになる。
【００１０】
作成された新しいタイプの羽織は、袖の形状を湾曲ラインで膨らんだ形状となっているので、着物の袖を収容することができるとともに現代風のデザインに仕上げられており、袖先部分を縫着しているので、着用時に手首にフィットした状態となり、袖をたくし上げるといったことも容易にできるようになる。こうした袖の形状は、車の運転や家事を行う場合に必要に応じてたくし上げれば袖が邪魔になることがなく、たすきと同じような機能性を発揮して現代の生活に対応したものとなっている。
【００１１】
そして、袖先部分の布地は、各人の腕の形状に応じて適宜裁断すればよく、各人の体形に合わせて簡単に調整することができる。
【００１２】
また、衿の形状を幅広に形成することで、内に着用する着物とのバランスがよくなり、従来の羽織とは異なる質感が醸し出されて室内において着用していても違和感がなくなる。
【００１３】
したがって、従来の羽織が主に外出用のコートとして着用されたのに対して、再生された羽織は、着物との重ね着が楽しめるこれまでにない新しいタイプの羽織となり、現代の生活においても着用する機会の増加に貢献するものといえる。そのため、本発明によれば、伝統的な和服文化を継承しつつ現代の感覚にマッチした羽織に再生することが可能となる。
【００１４】
そして、袖先部分を２枚ずつ重ね合わせて袖口に縫着することで、袖先の表地と同じ布地を裏地とすることができ、袖先を折り返しても違和感がなくなる。
【発明を実施するための最良の形態】
【００１５】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１６】
図１は、従来の羽織に関する正面図を示しており、図２は、図１の羽織に関する分解斜視図である。また、図３は、分解された羽織の各構成部分の布地を水平面に広げた状態を示す展開図である。
【００１７】
従来の羽織は、図１に示すように、前身頃及び後身頃の身頃部分の布地１ａ及び１ｂ、左右の袖部分の布地２ａ及び２ｂ、前身頃及び後身頃の間の脇に縫着されたまち部分の布地３ａ及び３ｂ、衿部分の布地４から主に構成されている。
【００１８】
従来の羽織を再生する場合、まず、羽織の布地を縫着する縫着糸を解いて、図２に示すように、身頃部分の布地１ａ及び１ｂ、袖部分の布地２ａ及び２ｂ、まち部分の布地３ａ及び３ｂ、衿部分４に分離する。袖部分の布地は、袖付の縫着糸を解いて分離した状態とし、袖下については糸を解かないようにする。
【００１９】
分離された各構成部分の布地は、拡げた状態では図３に示すようになっており、一般的に衿部分の布地４は、身頃部分の布地１ａ及び１ｂの後身頃の幅と同じ寸法になっている。各構成部分の布地に付いた仕立て跡は、アイロン等により予め消しておくとよい。
【００２０】
次に、袖部分の布地２ａ及び２ｂを裁断するため、図４に示すように、身頃部分の布地を広げた状態で中心部の肩山の線Ｋに袖部分２ａ及び２ｂの肩山の線が一致するように位置決めして、袖部分の布地２ａ及び２ｂの下側を身頃部分の布地１ａ及び１ｂの脇側から袖口に向かって連続した湾曲ラインＳ１となるように裁断する。裁断する場合には、予め湾曲ラインを形成した型紙を使用するとよい。
【００２１】
湾曲ラインＳ１は、身頃部分の布地の脇側の直線からなだらかに膨らむように形成され袖口に向かって延びていき袖口の下端で途切れた状態となっており、後述する袖先部分の布地の下側ラインＳ２と連続したラインを形成するようになっている。
【００２２】
湾曲ラインＳ１の形状は各人の好みにより設定すればよいが、着物の袖を収納するために丸く膨らんだ形状に設定するのが好ましい。
【００２３】
次に、衿部分の布地４を裁断する。図５に示すように、衿部分の布地４を広げた状態にし（図５（ａ））、長手方向に裁断して２分割する（図５（ｂ））。２分割された衿部分の布地４ａ及び４ｂを重ね合わせて両端部４ｃを縫合する（図５（ｃ））。こうして取付用の衿部分の布地４０が作成される。なお、２分割された衿部分の布地４ａ及び４ｂの間に芯材を挟んで衿部分の布地４０の強度を高めるようにしてもよい。芯材を布地に貼着しておけば、取り扱いが容易になる。
【００２４】
そして、図６に示すように、衿部分の布地４０を、背縫いした身頃部分の布地１ａ及び１ｂの衿取付部１０ａ及び１０ｂに沿って位置決めし、一方の側端部４０ａを衿取付部１０ａ及び１０ｂに沿って縫着する。この場合、布地が柄物の場合には、衿部分の布地４０を柄に合せて位置決めすればよい。そして、衿部分の布地４０の両端部を裾の寸法に合せて裁断し、余った布地４１ａ及び４１ｂは、袖先部分の布地として用いてもよい。
【００２５】
図７は、まち部分の布地３ａを用いて２枚の袖先部分の布地５ａ及び５ｂを裁断する工程を示している。まち部分の布地を幅方向に裁断して２つに分割し、分割した布地をそれぞれ二つ折にする。そして、二つ折りした端部を裁断して曲線状ラインＳ２に形成する。ラインＳ２は、袖部分の布地２ａに形成した湾曲ラインＳ１の袖口から連続するラインとなるように、型紙を用いて裁断する。まち部分の布地３ｂについても同様に裁断加工し、２枚の袖先部分の布地５ｃ及び５ｄを作成する。裁断する際の布地の幅は、例えば着用する人の腕の太さに合せて適宜調整すれば、より腕にフィットした袖先に仕上げることができる。また、袖先にアクセントを持たせたい場合には、別の布地（起毛した生地等）を用いてもよい。
【００２６】
作成された袖先部分の布地５ａ及び５ｂを、図８に示すように、袖部分の布地２ａの袖口に縫い合わせる。袖部分の布地２ａ及び袖先部分の布地５ａを広げた状態で、袖部分の布地２ａの袖口に当たる端部に布地５ａの端部を縫着するが、布地２ａの湾曲ラインＳ１と布地５ａのラインＳ２が連続した状態となるように位置決めして縫着する。そして、袖先部分の布地５ｂについては、布地５ａの布地２ａとは反対側の端部に縫着するが、布地５ｂが縫着ラインで布地５ａと線対称となるように位置決めして縫着する。袖先部分の布地５ｃ及び５ｄについても同様に袖部分の布地２ｂに縫着する。
【００２７】
次に、袖先部分の布地が縫着された袖部分の布地を身頃部分の布地に縫着する。図９に示すように、広げられた状態の身頃部分の布地１ａ及び１ｂの肩山の線Ｋに、広げられた状態の袖部分の布地２ａ及び２ｂの肩山の線を一致させて袖付け部分を縫い合わせる。縫い合わせる際には、袖付け部分の縫い代に所々切込みを入れておくと、袖付け部分をきれい仕上ゲルことができる。
【００２８】
そして、袖先部分の布地５ｂを縫着ラインで折って袖先部分の布地５ａに重ね合わせその端部を袖部分の布地２ａの袖口に縫い付ける。同様に、袖先部分の布地５ｄを布地５ｃに重ね合わせてその端部を袖部分の布地２ｂの袖口に縫い付ける。
【００２９】
そして、図１０に示すように、袖先部分の布地５ａ（裏地が布地５ｂ）及び袖部分の布地２ａの下側の裁断された湾曲ラインＳ１及びＳ２を重ね合わせて縫着する。縫着する場合には、縫い代に所々切込みを予め入れておくと、湾曲ラインに沿って丸みを持たせた状態にきれいに仕上げることができる。
【００３０】
また、それに合せて、身頃部分の布地１ａの脇側を縫着する。この場合、脇側の上部にポケットを取り付けて縫い付けるようにすることもできる。ポケットは、上述した裁断加工の際に余った布を２枚縫い合わせて袋状に形成し、形成した袋を身頃部分の布地の脇側に挿入して開口部を縫い付けるようにすればよい。
【００３１】
袖先部分の布地５ｃ（裏地が布地５ｄ）及び袖部分の布地２ｂについても、同様にの下側の裁断された湾曲ラインＳ１及びＳ２を重ね合わせて縫着し、それに合せて、身頃部分の布地１ｂの脇側を縫着する。
【００３２】
次に、図１１に示すように、衿部分の布地４０を二つ折にして他方の側端部４０ｂが身頃部分の布地１ａ及び１ｂの衿取付部１０ａ及び１０ｂに位置決めしていき（図１１（ａ））、他方の側端部４０ｂを衿取付部１０ａ及び１０ｂに縫い付けていく（図１１（ｂ））。こうして従来の衿よりも幅広の衿に仕上げられる。
【００３３】
羽織紐は、両側に留め金を取り付けて、両衿に留め金を挟んで取り付ければ、ワンポイントのアクセサリーとして使用することができる。羽織紐に好みの宝飾品を取り付けて各人の個性を表現するようにしてもよい。
【００３４】
最後に、図１２に示すように、身頃部分の布地１ａ及び１ｂの裾上げを行い、衿の下端に合せて裾を仕上げる。
【００３５】
以上の工程により再生された羽織は、袖部分が丸みを帯びた形状に膨らんでいるため、内に着用する着物の袖を収納することができ、従来の羽織と同様の機能を果たすとともに、袖先を取り付けて腕にフィットさせ袖下全体を縫着しているので、図１３に示すように、着用時においてもそのシルエットが表出して気品のある質感を醸し出す。
【００３６】
また、自動車の運転や家事を行う際には、図１４に示すように、袖先をたくし上げることで、袖が上腕部に集められてたすきを掛けたのと同じ状態にすることができる。袖先は裏地が取り付けられているので、腕の長さに合せて折り返しても表地と同じ生地が表出するようになるため、違和感がない。
【００３７】
また、従来の羽織のデザインを崩さない程度に衿幅を広げることで、内に着用する着物との間のバランスが崩れることなくこれまでの和装にはない新たな感覚を呼び覚ますものとなり、箪笥等にしまい込んだ羽織を新しいタイプの羽織として再生することができる。
【図面の簡単な説明】
【００３８】
【図１】従来の羽織に関する正面図である。
【図２】図１の羽織の分解斜視図である。
【図３】分離した羽織の各構成部分を広げた状態を示す図である。
【図４】袖部分の布地の裁断加工に関する説明図である。
【図５】衿部分の布地の裁断加工に関する説明図である。
【図６】衿部分の布地の縫着加工に関する説明図である。
【図７】袖先部分の布地の裁断加工に関する説明図である。
【図８】袖先部分及び袖部分の布地の縫着加工に関する説明図である。
【図９】袖部分及び身頃部分の布地の縫着加工に関する説明図である。
【図１０】袖部分及び身頃部分の布地の縫着加工に関する説明図である。
【図１１】衿部分の仕上げ加工に関する説明図である。
【図１２】身頃部分の裾上げに関する説明図である。
【図１３】再生された羽織を着用した状態を示す外観図である。
【図１４】図１２において袖をたくし上げた状態を示す外観図である。
【符号の説明】
【００３９】
１    身頃部分の布地
２    袖部分の布地
３    まち部分の布地
４    衿部分の布地
５    袖先部分の布地
【図１】
2007231479.tif 000003
【図２】
2007231479.tif 000004
【図３】
2007231479.tif 000005
【図４】
2007231479.tif 000006
【図５】
2007231479.tif 000007
【図６】
2007231479.tif 000008
【図７】
2007231479.tif 000009
【図８】
2007231479.tif 000010
【図９】
2007231479.tif 000011
【図１０】
2007231479.tif 000012
【図１１】
2007231479.tif 000013
【図１２】
2007231479.tif 000014
【図１３】
2007231479.tif 000015
【図１４】
2007231479.tif 000016